(57)【要約】【目的】  プリペイドカード利用者の再利用を促進させ、且つプリペイドカードにプールされた金額を常時高く維持させ、オーナーがその一時的にプールされた金銭を利用し、事業の展開及び拡大を図れるようにする。【構成】  サービス・商品提供装置１をプリペイドカードにて利用する際、カード処理機３で読み込んだプリペイドカードの残高が多ければ多いほど、利用料金の割引率が高くなるよう設定されたテーブルが設けられたカードシステム。【選択図】  図１
2005149350.tif 000002
【特許請求の範囲】
【請求項１】
プリペイド式カードと、該カードの読み取り・書き込みを行うカード処理機と、少なくとも前記カードにより利用可能な商品やサービスを提供する手段とからなるカードシステムにおいて、前記提供手段にはカード残高に応じた利用料金テーブルが設けられており、該テーブルは前記カード残高が多い程、割引率が高率に設定されていることを特徴とするカードシステム。
【発明の詳細な説明】
【技術分野】
【０００１】
本発明は、プリペイド式のカードを使用し、種々の商品やサービスを提供する機器から商品を購入したり、サービスの提供を受けることができるカードシステムに関するものである。
【背景技術】
【０００２】
従来より、特許文献１、２に示すように、カードでサービス提供を受けたり商品を購入したりした場合、その利用頻度に応じ、つまり使った金額が多ければ多いほど次回利用時に割引を行うカードシステムや、カードの利用を促進するために、カードを利用した間隔が短い程、割引率を高くするカードシステム等があった。
【特許文献１】特開昭５２−０１６９４１号公報
【特許文献２】特開平０３−１０５４９２号公報
【発明の開示】
【発明が解決しようとする課題】
【０００３】
しかしながら、前記各特許文献に記載されたカードシステムでは、いずれにせよカード利用頻度が高ければ商品やサービスの割引率を高くするというものであり、カード利用初期において利用者は高い割引率を得ようとして頻繁に利用するが、カードの残高が少なくなったり、一旦使い切ってしまうと、利用客は継続して利用しなくなる可能性があった。
【課題を解決するための手段】
【０００４】
このような課題を解決するために本発明は、プリペイド式カードと、該カードの読み取り・書き込みを行うカード処理機と、少なくとも前記カードにより利用可能な商品やサービスを提供する手段とからなるカードシステムにおいて、前記提供手段にはカード残高に応じた利用料金テーブルが設けられており、該テーブルは前記カード残高が多い程、割引率が高率に設定されているカードシステムを提供することを要旨とするものである。
【発明の効果】
【０００５】
本発明の装置は以上のように構成されるので、カード利用者は高い割引率にて商品又はサービスを購入しようとするので、常時カードの残高を多く保持しようとする。よって顧客がカードを使い切ることが生じないようにできるため、カードによる顧客の取り込みが継続して行える。また、カードの残高が常に多く保持されるようになるため、実際には使われない金額がより多くオーナーの手元に残ることになり、オーナーはそのプールされた金銭を利用して事業を拡大していくことが可能である。
【実施例】
【０００６】
本願発明を実施できる装置は、サービス・商品をカードの利用により提供できる装置であればどのような形態のものでもよいのだが、本実施例ではスプレー式洗車装置を有料で利用できるようにしたものについて説明する。図１は本発明の実施例である洗車装置の全体構成図で、スプレー銃２より洗浄水を噴射させて洗車に供するタイプの洗車装置であり、箱体１内には特に図示しないが、温水タンク、洗剤タンク、弁、ポンプ等で構成される洗車機能部、プリペイドカードを受け付けるカードリーダーライター３、従来周知のマイクロコンピューターなどを利用した制御装置４を内蔵したコントロールボックス５を配し、該コントロールボックス５前面には、図２に示す様に、洗車条件、料金設定、本発明の内容であるカード使用時の割引の設定等を行なうための管理スイッチ６、テンキー７、設定内容を制御装置４に登録するための登録スイッチ８、その他のスイッチ類及び前記スイッチ類を操作した時の内容を表示する表示装置９を備えている。
【０００７】
また箱体１外部には洗浄水を噴射するスプレー銃２、使用する洗浄水や洗車時間の長短等に応じて複数設定された洗車コースのうちいずれかを選択する洗車コース選択スイッチ１０、選択されたコースの洗車動作を開始させるスタートスイッチ１１、カードリーダーライター３に挿入されたカードの点数を料金に換算して表示する表示装置１２等を備えている。
【０００８】
図３は本装置の制御系を示すブロック図で、各スイッチ類（６、８、１０、１１、他）、テンキー７、カードリーダーライター３からの入力信号は制御装置４に導入され、制御信号として、洗車機能部、カードリーダーライター３、表示装置９、表示装置１２に出力される。
【０００９】
次に図４、図５、図６を基に実施例の使用法及び動作について説明する。
【００１０】
まずカードに記憶されている点数と洗車装置で処理される金額の関係であるが、カードの最低点数を１点とし、それに対応する金額を１０円としておく。また、カードは販売時３０００円で販売されるものとし、残点数が３００点となるようになっている。
【００１１】
ところで洗車装置のオーナーは洗車受付開始前に様々な洗車条件の設定を済ませておく必要があるが、ここでは料金を設定する作業と本発明にかかわるカード使用時の料金割引率を設定する作業の説明に留め、その他の設定作業は既に終了しているものとする。
【００１２】
例えば洗車コースがＡ、Ｂ、Ｃの３コースあり、それぞれに対応する料金を３００円、５００円、７００円と設定するには、図４に示す様に、まず洗車装置のオーナーが表示装置９に何も表示されていない状態（ステップ１）で、管理スイッチ６を押す（ステップ２）と表示装置９には設定できる内容が表示される（ステップ３）ので、テンキー７を操作し（ステップ４）、ネダンという項目を選択する。するとＡコースの料金を設定できる表示に切り替わる（ステップ５）ので、テンキー７を操作して、３００円を入力し（ステップ６、７）、登録スイッチ８を押す（ステップ８）。Ｂコース、Ｃコースも同様にして料金の設定行なう（ステップ９〜１６）。
【００１３】
次に、カードの残高に応じ、割引率を設定する場合、図５に示す様に、表示装置９に何も表示されていない状態（ステップ１７）で、管理スイッチ６を押す（ステップ１８）と表示装置９には設定できる内容が表示される（ステップ１９）ので、テンキー７を操作し（ステップ２０）、サービスという項目を選択する。するとカード残点数が２０１点から３００点の場合の割引率を設定できる表示に切り替わる（ステップ２１）ので、テンキー７で割引率２０％を打ち込み（ステップ２２、２３）、登録スイッチ８を押す（ステップ２４）。以下同様に残点数に応じた割引率を設定する（ステップ２５〜３２）のである。
【００１４】
しかし、設定した割引率によっては、各コースの洗車料金に１円単位の端数が発生してしまい、前述した様に、最低単位が１０円なので不都合が生じる場合がある。
【００１５】
このため登録スイッチ８を押した後は、表示が１円単位の処理についての表示に切り替わる（ステップ３３）ので、テンキー７で１円単位の処理を四捨五入するか、切り捨てるのか、切り上げるのかを選択し（ステップ３４）、登録スイッチ８を押し（ステップ３５）、設定を終了する。
【００１６】
以上の設定入力により、洗車時、カードの残点数が多い程、割引率が高くなることになる。この登録が終了した時点でオーナーは、洗車機前面等に、設定したカード残金に対する割引率を印字したシールを貼付しておけば利用者にアピールでき、また、残点数による割引率に大きな差をもうけたことにより、利用者は常にカード残高を多く維持しようとするのである。
【００１７】
尚、ここでは、割引率を設定できる残点数範囲が規定値になっているが、この残点数の範囲をオーナー自身が変更できるようにしても良い。
【００１８】
次に顧客が洗車装置を利用して、洗車を行なう場合について、図６を基に説明する。
【００１９】
利用者はまず洗車装置近傍に設置されたカード販売機に３０００円を投入し、カードを購入する。ところでこのカード販売機はカードの購入だけではなく、残点数の少なくなったカードを受け付け、現金が投入されると（最大で残点数が３００点になるまで）その分投入されたカードに点数が加算される機能も併せ持っているものである。
【００２０】
この後、このカードをカードリーダーライター３に挿入する（ステップ３６）。するとカードに書き込まれた内容（店コード、点数等）をカードリーダーライター３が読み取り（ステップ３７）、その内容を制御装置４に送り、一旦記憶させ、カードが本洗車装置で使用可能かどうか判断させて、可能であれば書き込まれている点数を金額に換算し（ここでは３０００）、表示装置１２に表示させる（ステップ３８）。
【００２１】
利用者はコース選択スイッチ１０のいずれかを押し（ステップ３９）、コースを選択する。ここでは５００円のＡコースを選択したとする。するとスイッチ１０からの入力信号を受けた制御装置４は、記憶していた点数３００点から、先に設定されていた料金テーブルに基づき、５００円の２０％、１００円を割り引いた４００円、つまり４０点を差し引いた金額２６００円を表示装置１２に表示させる（ステップ４０）。これはＢコース、Ｃコースを選択した場合も同様である。
【００２２】
また受け付けたカードの残点数が例えば１５０点であったら、洗車料金の１０％が割り引かれ、８０点であれば５％が割り引かれる。しかし先にも説明したように利用者はいつでも高い割引率で洗車機を利用しようと考えるので、カード残高が２０００円を割りそうになったら、カード販売機でカードと共に現金を投入し、カード残高を増やしてから、洗車機を利用するようになる。
【００２３】
そしてカードがカードリーダーライター３から排出され（ステップ４１）、表示装置１２は０に戻る（ステップ４２）ので、カードを受け取った後、スタートスイッチ１１を押す（ステップ４３）。するとその入力信号は制御装置４に入り、洗車機能部を作動させる出力信号を出し、洗車を実行させる（ステップ４４）。
【００２４】
ここではカードのみを受け付ける洗車機の場合の説明を行ったが、これに限定されるものでなく、本願発明を他の現金併用型のサービス又は商品提供装置に用いても同等の効果が得られるのは言うまでもない。
【図面の簡単な説明】
【００２５】
【図１】本発明の一実施例である装置の全体構成図である。
【図２】同装置のコントロールボックス前面の構成図である。
【図３】同装置の制御系を示すブロック図である。
【図４】同装置の料金設定動作を示す説明図である。
【図５】同装置の割引率設定動作を示す説明図である。
【図６】同装置の洗車工程動作を示すフローチャートである。
【符号の説明】
【００２６】
１  洗車装置
３  カードリーダーライター
【図１】
2005149350.tif 000003
【図２】
2005149350.tif 000004
【図３】
2005149350.tif 000005
【図４】
2005149350.tif 000006
【図５】
2005149350.tif 000007
【図６】
2005149350.tif 000008